(57)【要約】      （修正有）【課題】軟水器の型式に合った、最適の食塩水吸入力性能に、簡単に調整できる構造のエジェクターを提供する。【解決手段】エジェクター本体９と、円錐形の第１のノズル１２Ｅと第２のノズル１２Ｆを備える。エジェクター本体は両端にネジ部を有し、中央の水道水流路の中心部に、側面部より水道水流路に合流する食塩水吸入流路である弁付吸入口金７が設けられる。第１ノズルから噴射された水道水と、弁付吸入口金から流入する食塩水とを、第２のノズルが噴射する。【選択図】図５
0003174379.tif 000002
【実用新案登録請求の範囲】
【請求項１】
軟水器に用いるエジェクター（流水ポンプ）に於いて、開閉弁付食塩吸入口７をねじ込み、両端にネジ部９−１を有し、内部にノズル受け１０を固定したエジェクター本体９と、交換できる噴射水受け１１と、交換できるノズル１２とを有するエジェクター
【考案の詳細な説明】
【技術分野】
【０００１】本考案は、軟水器のエジェクター（流水ポンプ）に関するものである。
【背景技術】
【０００２】まず、軟水器のエジェクターの機能を説明するため、エジェクター付軟水器について、概要を、図１により説明する。
軟水器の容器５０の内部には、イオン交換樹脂が満たされ、軟水器キャップ５０−１で密閉されている。該軟水器キャップ５０−１には、水道導管５１、水道開閉弁５２．水道水切り換え弁５３が、順に連結され。水道水注入口金５４で密閉連結されている。水道水が、容器５０に矢印Ｐ、矢印Ｑの流れで注入される。水道水に溶け込んだ硬水成分であるカルシュウム、マグネシュウムは、イオン交換樹脂で除去され、軟水にして、軟水排水口金５９、軟水排水管６０から採取される。一定量を軟水化すると、イオン交換樹脂は劣化して、軟水化能力が衰えるので、再生、活性化する必要がある。イオン交換樹脂は、食塩水が通過することにより、ナトリュウムイオンで、再生、活性化される。軟水器の容器５０内のイオン交換樹脂に、食塩水６２を吸入するため、バイパス流路、即ち、水道水切り換え弁５３、蛇管５５、エジェクター１、エルボー管５６の順に、軟水器キャップ５０−１に密閉連結せしめてある。水道水切り換え弁５３を切り換え、水道水を矢印Ｐ、矢印Ｅ、矢印Ｆ、矢印Ｇの方向に流すと、水道水の流れにより、エジェクター１の働きで、イオン交換樹脂内に食塩水６２が、吸引、注入され、イオン交換樹脂が食塩水６２で再生、活性化される。
このような機能を持つ、従来のエジェクター１は、軟水器の容量によって、食塩水吸入性能が固定で、調整することが困難であった。
【考案が解決しようとする課題】
【０００３】家庭、美容院、ホテルの厨房等、軟水を使用する施設により、必要とされる軟水の容量が異なる。そこで、容量の異なる型式の軟水器がある。容量により、水道水の流入抵抗が異なる。流入抵抗の大きい軟水器では、水道水が内部水圧に負け、エジェクター１の食塩水吸入口より、水道水が逆流し、食塩水６２が吸入できない課題がある。また、軟水器に合った性能のエジェクター１でないと、食塩水６２の吸入効率が悪く、水道水を多量に使い、節水にならない等の課題がある。そこで、機種に合った性能のエジェクターを、容易に調整できる構造のエジェクターが望まれる。
【考案が解決するための手段】
【０００４】エジェクター１内部の噴射ノズル２のノズル直径ｄ１（図２）と、噴射水受けの直径ｄ２（図２）の間を水道水が流れると、噴射流れＳが発生し、噴射ノズル２の先端周辺の水圧が減少し、食塩水吸引流れＴが発生する。この食塩水吸引流れＴの強さは、水道水の水圧と、軟水器の容器内の流れ抵抗と、噴射ノズル径ｄ１と、噴射受けの径ｄ２とにより決定する。
そこで、本考案は、噴射ノズル径ｄ１のノズル１２（図５）と、内径ｄ２の噴射水受け１１（図５）（図９）とを、容易に交換、調整できるような構造にして、問題点を解決している。
【考案の効果】
【０００５】１：軟水器の流入抵抗に合った、吸入効率のよいエジェクターに、容易に調整できる。
２：水道水が効率よく使え、水道水が節水できる。
３：流入抵抗の大きい型式の軟水器でも、強力な吸引力のあるエジェクターが提供できる。
４：材料の一つとして、市販のピペットチップ（図７）を使用すれば、安価である。
【考案を実施するための最良の形態】
【０００６】図１の軟水器に於いて、従来のエジェクター１を、本考案の一実施例（図５）であるエジェクター９に交換し、締め付けナット４で密閉固定する。その時、軟水器の容器に合うよう噴射水受け１１の内径ｄ２と、ノズル１２の内径ｄ１を適正に選択し、エジェクター本体９の内部に交換、挿入しておく。水道水の流れで、食塩水６２は効率よく、イオン交換樹脂に注入され、再生、活性化される。
【実施例】
【０００７】    従来のエジェクター１の構造について、図２、図３、図４で簡単に説明する。
エジェクター本体１には、弁付吸入口金７がねじ込まれている。（図３）
７−１はハンドルで弁を開閉する。エジェクター本体１の内部には、噴射ノズル２（図４）がネジ込まれている
エジェクター本体１の両端には、パッキン３、を介し蛇管５，６が締め付けナット４で固定されている。
水道水の流れは、噴射ノズル２による、噴射流れＳとなる。噴射ノズル２の先端周辺では、負圧になり、食塩水吸入流れＴが発生する、
このように、水道水の流れＳにより、軟水器の容器５０に、食塩水が吸引、注入され、イオン交換樹脂が再生、活性化される。【０００８】  次に、本考案のエジェクター構造の一実施例について、図５、図６、図７、図８、図９により説明する。
図５は、その断面図を示す。本考案エジェクター本体Ａの９には、ノズル受け１０が圧入、固定されている。また、弁付吸入口金７がねじ込まれている。本考案エジェクター本体Ａの内部には、ノズル１２と噴射水受け１１が挿入されている。両端には、蛇管５，６がパッキン３を介し、締め付けナット４で密閉固定されている。水道水がノズル１２を流れ、噴射水Ｓが発生する。ノズル１２の先端周辺では、負圧になり、食塩水吸入流れＴが発生する。
図６は、エジェクター本体Ａ−９に、ノズル受け１０を圧入、固定された断面図を示す。
図７−Ａは市販のピペットのチップの正面図、Ｂはその側面図を示す。
Ｘ０−Ｙ０で大きさに合わせカットし、先端のノズル径ｄ１を適正直径になるカットする。一般には１ｍｍから３ｍｍになるようＸ１−Ｘ２、Ｘ３−Ｘ４でカットされる。
量産されていて、流用するので、安価である。一円位で購入できる。
図８は、その側面図を示す。ｄ１は適正なノズル径にカットされる。１ｍｍから３ｍｍに調整される。
図９は、噴射水受け１１の側面図を示す。ノズル１２がカットされ、１２Ｆとして圧入されている。ｄ２は３ｍｍから６ｍｍに調整される。
しかし、ピペットのチップ（図７）は、プラスチック製で、水道水の軟水化には適しているが、温水の軟水化には不適で、金属製が用いられる。
次に、本考案の他の実施例について説明する。
まず、図２に戻り、流れについて説明する。従来のエジェクター１は、噴射ノズル径ｄ１は３ｍｍ、噴射水受け穴径ｄ２は４ｍｍに構成されている。ｄ１から噴射される水量が、容器内の流れ抵抗が大きいと、食塩水吸引流れＴ発生せず、逆に水道水が弁付吸入口金７から逆流する課題があった。噴射ノズル２と、噴射水受け穴ｄ２とに、間隔があると、流れ抵抗の少ない時は、食塩吸入に好都合だが、逆に、流れ抵抗が大きいと、逆流の要因となる。
逆流しないエジェクター９の一実施例を図１０、図１１、図１２図１３により説明する。
図１０は、本考案エジェクターの他の一実施例の断面図を示す。本考案エジェクター本体Ｂ１３には、弁付吸入口金７がねじ込まれている。内部には、噴射コマ受け１４が圧入、固定されている。逆流防止のＯリング１５が挿入されている。また、噴射コマ１６が挿入されている。両端には、蛇管５，６がパッキン３を介し、締め付けナット４で密閉固定されている。水道水が噴射コマ１６のノズル部１６−１を流れ、噴射水Ｓが発生する。噴射コマノズル部１６−１の先端周辺では、負圧になり、食塩水吸入口１６−３に、食塩水吸入流れＴが発生する。
図２の従来のエジェクターに比較して、図１０の本考案エジェクター本体１３は、Ｏリング１５と、１６−３の食塩水吸入口１６−３により、水道水の逆流を防いでいる。
図１１は、エジェクター本体Ｂ１３の内部に、噴射コマ受け１４が圧入固定された断面図を示す。１５はＯリングである。
図１２、Ａは、噴射コマ１６の断面図、Ｂは、その側面図を示す。１６−１は噴射ノズル部、１６−２は膨張負圧部、１６−３は食塩水吸入口である。
噴射ノズル部ｄ１は１ｍｍから２ｍｍ、膨張負圧部ｄ２は２ｍｍから４ｍｍ、食塩吸入口ｄ３は２ｍｍから３ｍｍ位に設定される。
図１３は、噴射コマ受け１４の断面図、Ｂは、その側面図を示す。１５はＯリング
図１４、Ａは、他の噴射コマの実施例の断面図を示す。Ｂは、その側面図を示す。
食塩水吸入効率を上げるため、噴射ノズル部１７−１を、二連にしたものである。
図１５、Ａは、他の噴射コマの実施例の断面図を示す。Ｂは、その側面図を示す。
食塩水吸入効率を上げるため、噴射ノズル部１８−１を、更に三連にしたものである。
【図面の簡単な説明】
【０００９】
【図１】従来の軟水器の外観見取り図。
【図２】Ａは、従来のエジェクターの断面図。Ｂは、その側面図。
【図３】図２のエジェクター本体１に弁付吸入口金７をねじ込んだ断面図。
【図４】Ａは、従来の噴射ノズル２の断面図。Ｂは、その側面図。
【図５】本考案の一実施例のエジェクターの断面図。
【図６】図５のエジェクター本体部９の断面図。
【図７】Ａは、市販のピペットのチップの正面図。Ｂは、その側面図。
【図８】本考案、噴射ノズル１２の切断調整した時の断面図。
【図９】Ａは、噴射ノズル受け１１の断面図。Ｂは、その側面図・
【図１０】本考案の一実施例のエジェクターの断面図。
【図１１】図１０のエジェクター本体部Ａ、１３の断面図。
【図１２】図１０の噴射コマ１６の断面図。Ｂは、その側面図・
【図１３】Ａは、噴射コマ受け１４の断面図。Ｂは。その側面図。
【図１４】二口噴射コマ１７の断面図。Ｂは、その側面図。
【図１５】三口噴射コマ１８の断面図。Ｂは、その側面図。
【符号の説明】
【００１０】  １  従来のエジェクター本体                    ２  従来の噴射ノズル
３  ゴムパッキン                              ４  締め付けナット
５  蛇管                                      ６  蛇管
７  弁付吸入口金
９  本考案エジェクター本体Ａ                １０  ノズル受け
１１  噴射水受け                              １２  ノズル
１３  本考案エジェクター本体Ｂ                １４  噴射コマ受け
１５  Ｏリング                                １６  噴射コマ
１７  二口噴射コマ                            １８  三口噴射コマ
５０  軟水器容器            ５１  水道水導管          ５２  水道開閉弁
５３  水道水切り換え弁      ５４  水道水注入口金      ５５  蛇管
５６  エルボー管            ５７  検水コック          ５８  検水導管
５９  軟水排水口金          ６０  軟水排水管
６１  食塩水タンク          ６２  食塩水              ６３  食塩水チューブ
【図１】
0003174379.tif 000003
【図２】
0003174379.tif 000004
【図３】
0003174379.tif 000005
【図４】
0003174379.tif 000006
【図５】
0003174379.tif 000007
【図６】
0003174379.tif 000008
【図７】
0003174379.tif 000009
【図８】
0003174379.tif 000010
【図９】
0003174379.tif 000011
【図１０】
0003174379.tif 000012
【図１１】
0003174379.tif 000013
【図１２】
0003174379.tif 000014
【図１３】
0003174379.tif 000015
【図１４】
0003174379.tif 000016
【図１５】
0003174379.tif 000017
【手続補正書】
【提出日】平成23年10月27日(2011.10.27)
【手続補正１】
【補正対象書類名】実用新案登録請求の範囲
【補正対象項目名】全文
【補正方法】変更
【補正の内容】
【実用新案登録請求の範囲】
【請求項１】
両端外周に、水道水導管を密閉連結するネジ部９−１を有し、また、中心部には、軸方向の水道水流路を有し、前記水道水流路の中央部には、側面部より前記水道水流路に合流する、食塩水吸入流路である弁付吸入口金７が設けられたエジェクター本体９と、前記水道水流路の流入口には、前記エジェクター本体９の内部に流入する水道水を受けて、流出口に向けて水道水を噴射する、先端内径ｄ１の円錐形の第一のノズル１２を、前記水道水流路の流出口には、前記第一のノズル１２から噴射する水道水と、前記弁付吸入口金７から流入する食塩水と、を受けて、噴射する先端内径ｄ２の円錐形の第２のノズル１２Ｆを備え、ｄ１≦ｄ２の関係を満たす範囲の中で、調整交換できることを特徴とするエジェクター。
【手続補正書】
【提出日】平成23年12月19日(2011.12.19)
【手続補正１】
【補正対象書類名】実用新案登録請求の範囲
【補正対象項目名】全文
【補正方法】変更
【補正の内容】
【実用新案登録請求の範囲】
【請求項１】
両端外周に、水道水導管を密閉連結するネジ部９−１を有し、また、中心部には、軸方向の水道水流路を有し、前記水道水流路の中心部には、側面部より前記水道水流路に合流する、食塩水吸入流路である弁付吸入口金７が設けられたエジェクター本体９と、前記水道水流路の流入口には、前記エジェクター本体９の内部に流入する水道水を受けて、流出口に向けて水道水を噴射する、先端内径ｄ１の円錐形の第１のノズル１２Ｅを、前記水道水流路の流出口には、前記第１のノズル１２Ｅから噴射する水道水と、前記弁付吸入口金７から流入する食塩水と、を受けて、噴射する先端内径ｄ２の円錐形の第２のノズル１２Ｆを備え、前期先端内径ｄ１≦ｄ２の関係を満たす範囲の中で、第１のノズル１２Ｅと、第２のノズル１２Ｆとを、調整交換できるようにしたエジェクター。